Podtech/llm-jp-corpus-v4-ja_patent huggingface dataset:
【手続補正書】
【提出日】令和2年8月19日(2020.8.19)
【手続補正１】
【補正対象書類名】特許請求の範囲
【補正対象項目名】全文
【補正方法】変更
【補正の内容】
【特許請求の範囲】
【請求項１】
隣接部分を一緒に固定し、セルロースマイクロ又はナノ結晶の一方又は両方を含有する接着剤を、前記接着剤が分解するのに十分な温度に加熱するステップと、
前記隣接部分を分離するステップと、を含む、方法。
【請求項２】
前記隣接部分を分離する前に、前記接着剤を０〜５０℃の間の温度に冷却させるステップをさらに含む、請求項１に記載の方法。
【請求項３】
前記接着剤が、セルロースナノ結晶を含有する、請求項１又は２に記載の方法。
【請求項４】
前記セルロースマイクロ又はナノ結晶が、前記接着剤の少なくとも１５重量パーセントの濃度を有する、請求項１〜３のいずれか一項に記載の方法。
【請求項５】
加熱するステップが、２００℃〜２５０℃の間の温度に加熱して、前記接着剤を分解することを含む、請求項１〜４のいずれか一項に記載の方法。
【請求項６】
前記接着剤が、エポキシを含み、
前記エポキシが、エポキシドを含有する第一の部分と硬化剤を含有する第二の部分とを含む二成分型重合性系の最終産物である、請求項１〜５のいずれか一項に記載の方法。
【請求項７】
前記エポキシが、純粋な形態で硬化される場合、３００℃以上の温度で安定である、請求項６に記載の方法。
【請求項８】
前記エポキシが、脂肪族アミン、１，２，３，６−テトラヒドロ−メチル−３，６−メタノ−フタル酸無水物、エピクロロヒドリン及びフェノールホルムアルデヒドノボラックの混合物の間の反応の最終産物を含む、請求項６又は７に記載の方法。
【請求項９】
加熱するステップの前に、前記接着剤及び前記セルロースマイクロ又はナノ結晶が、ポリマーマトリックスを形成し、前記セルロースマイクロ又はナノ結晶が、前記ポリマーマトリックス中に連結を形成し、且つ
加熱するステップが、ｉ）前記セルロースマイクロ若しくはナノ結晶内で、又はｉｉ）前記ポリマーマトリックス中の前記セルロースマイクロ若しくはナノ結晶と前記接着剤との間の界面で、共有結合の開裂により、前記連結を破壊するのに十分な程度まで行われる、請求項１〜８のいずれか一項に記載の方法。
【請求項１０】
加熱するステップの前に、前記接着剤が、前記隣接部分の間のネジ接続部内に配置される、請求項１〜９のいずれか一項に記載の方法。
【請求項１１】
前記セルロースマイクロ又はナノ結晶が、ナノウィスカー、ナノ結晶性セルロース、ウィスカー、ナノ粒子、ナノファイバー、マイクロ結晶子又はマイクロ結晶性セルロースのうちの１つ又は複数を含む、請求項１〜１０のいずれか一項に記載の方法。
【請求項１２】
接着剤と、
セルロースマイクロ又はナノ結晶の一方又は両方と、
を含み、
前記セルロースマイクロ又はナノ結晶が、熱分解性組成物の３０重量パーセント超の濃度を有し、
前記セルロースマイクロ又はナノ結晶が、ナノウィスカー、ナノ結晶性セルロース、ウィスカー、ナノ粒子、ナノファイバー、マイクロ結晶子又はマイクロ結晶性セルロースのうちの１つ又は複数を含む、熱分解性組成物。
【請求項１３】
前記接着剤が、セルロースナノ結晶を含む、請求項１２に記載の熱分解性組成物。
【請求項１４】
前記接着剤が、エポキシドを含有する第一の部分と硬化剤を含有する第二の部分とを含む二成分型重合性系の最終産物であるエポキシを含む、請求項１２又は１３に記載の熱分解性組成物。
【請求項１５】
エポキシドを含むエポキシ接着剤の第一の部分と、
硬化剤を含むエポキシド接着剤の第二の部分と、
セルロースマイクロ結晶、セルロースナノ結晶、又は両方と、
前記第一及び第二の部分を合わせて、エポキシ接着剤を形成するための説明を記載する文書と、を含み、
前記文書が、２００℃〜３００℃の間の温度に加熱することにより、前記形成されたエポキシ接着剤を分解するための説明をさらに記載し、
前記エポキシ接着剤の前記第一及び第二の部分が分離しており、前記セルロースマイクロ結晶、セルロースナノ結晶、又は両方が、ａ）前記エポキシ接着剤の前記第一及び第二の部分から分離しているか、又はｂ）前記エポキシ接着剤の前記第一及び／若しくは第二の部分内に分散されている、キット。
【手続補正書】
【提出日】令和2年9月7日(2020.9.7)
【手続補正１】
【補正対象書類名】特許請求の範囲
【補正対象項目名】全文
【補正方法】変更
【補正の内容】
【特許請求の範囲】
【請求項１】
ナノ粒子に封入されたダクチノマイシンの治療有効量を含む組成物であって、
ＰＬＡ−ｍＰＥＧを含み、前記ナノ粒子の平均サイズが約１００ｎｍ〜約２００ｎｍである、前記組成物。
【請求項２】
前記ＰＬＡ−ｍＰＥＧの分子量が約２５，０００Ｄａ〜約３５，０００Ｄａであり、または約３０，０００Ｄａである、請求項１に記載の組成物。
【請求項３】
前記ＰＬＡ−ｍＰＥＧが約５重量％のｍＰＥＧ〜約５０重量％のｍＰＥＧを含む、請求項１または２に記載の組成物。
【請求項４】
界面活性剤をさらに含み、場合により前記界面活性剤が、各ナノ粒子の約０．１重量％〜約５重量％を構成する、請求項１から３のいずれか１項に記載の組成物。
【請求項５】
前記ナノ粒子の平均サイズが、約１００ｎｍ〜約１１０ｎｍ、約１０５ｎｍ〜約１１５ｎｍ、約１１０ｎｍ〜約１２０ｎｍ、約１１５ｎｍ〜約１２５ｎｍ、約１２０ｎｍ〜約１３０ｎｍ、約１２５ｎｍ〜約１３５ｎｍ、約１３０ｎｍ〜約１４０ｎｍ、約１３５ｎｍ〜約１４５ｎｍ、約１３０ｎｍ〜約１４０ｎｍ、約１３５ｎｍ〜約１４５ｎｍ、約１４０ｎｍ〜約１５０ｎｍ、約１４５ｎｍ〜約１５５ｎｍ、約１５０ｎｍ〜約１６０ｎｍ、約１５５ｎｍ〜約１６５ｎｍ、約１６０ｎｍ〜約１７０ｎｍ、約１６５ｎｍ〜約１７５ｎｍ、約１７０ｎｍ〜約１８０ｎｍ、約１７５ｎｍ〜約１８５ｎｍ、約１８０ｎｍ〜約１９０ｎｍ、約１８５ｎｍ〜約１９５ｎｍ、又は約１９０ｎｍ〜約２００ｎｍである、請求項１から４のいずれか１項に記載の組成物。
【請求項６】
前記組成物が、約５重量％〜約１５重量％のダクチノマイシンを含む、請求項１から５のいずれか１項に記載の組成物。
【請求項７】
骨髄異形成症候群（ＭＤＳ）を治療するための方法における使用のための、請求項１から６のいずれか１項に記載の組成物。
【請求項８】
癌を治療するための方法における使用のための、請求項１から６のいずれか１項に記載の組成物であって、前記癌が、急性骨髄性白血病（ＡＭＬ）、慢性リンパ性白血病（ＣＬＬ）、大腸癌、神経内分泌癌、食道癌、又は消化管間質腫瘍（ＧＩＳＴ）である、組成物。
【請求項９】
前記方法が、少なくとも一つの化学療法薬の治療有効量を投与することをさらに含み、前記化学療法薬が、トポイソメラーゼ阻害剤、白金系治療剤、アントラサイクリン系抗生物質、タキサン、チロシンキナーゼ阻害剤、ヌクレオシド類似体、ＦＬＴ３阻害剤、及び高メチル化阻害剤からなる群から選択され、前記トポイソメラーゼ阻害剤、白金系治療剤、アントラサイクリン系抗生物質、タキサン、チロシンキナーゼ阻害剤、ヌクレオシド類似体、ＦＬＴ３阻害剤、及び高メチル化阻害剤と、ダクチノマイシンとのモル比が、７：１、６：１、５：１、４：１、３：１、２：１、１：１、１未満：１、又はその間の任意の比である、請求項７または８に記載の組成物。
【請求項１０】
前記方法が、前記組成物を、全身的に、静脈内に、注入により、又は経口的に、前記対象に投与することを含む、請求項７から９のいずれか１項に記載の組成物。
【請求項１１】
前記組成物が、１週間、２週間、又は３週間にわたり１回又は２回投与され、場合により  前記方法が、投与期間の間に、１週間、２週間、３週間、又は４週間の休薬期間をさらに含む、請求項７から１０のいずれか１項に記載の組成物。
【請求項１２】
前記対象が、粘膜炎を発症しているか又は発症するリスクがあり、場合により
ｉ．前記対象が、粘膜炎の症状に対して、一つ又は複数の抗炎症剤及び／又は抗酸化剤を用いて同時に治療されている；または
ｉｉ．前記対象が、粘膜炎の症状に対して、一つ又は複数の抗炎症剤及び／又は抗酸化剤を用いて、前記組成物の投与前に前処置されている
請求項７から１１のいずれか１項に記載の組成物。
【請求項１３】
ダクチノマイシンの前記治療有効量が約０．０５〜約２．０ｍｇ・分／ＬのＡＵＣ∞をもたらす、請求項７から１２のいずれか１項に記載の組成物。
【請求項１４】
ダクチノマイシンの前記治療有効量が約１ｎｇ／ｍＬ〜約２０ｎｇ／ｍＬのＣｍａｘをもたらす、請求項７から１３のいずれか１項に記載の組成物。
【請求項１５】
前記ダクチノマイシンの約７０％〜約８０％が、３日後に前記ナノ粒子から放出される、請求項７から１４のいずれか１項に記載の組成物。
【請求項１６】
請求項１から６のいずれか１項に記載の組成物を調製するための方法であって、
（ｉ）ダクチノマイシンの有機溶媒溶液を、ポリマーの有機溶媒溶液に、前記ポリマー：ＡＰＩの比が１０：１の比（重量／重量）になるまで加えることと、
（ｉｉ）（ｉ）の溶液を均一になるまでボルテックスすることと、
（ｉｉｉ）９，０００〜１０，０００Ｄａの分子量を有し８０％加水分解された２％（ｗ／ｗ）のポリビニルアルコールを含有した水相に、前記水相を高速でボルテックスしながら、（ｉｉ）の溶液を（ｉｉ）の溶液と前記水相の体積比が約１：７になるまで滴加して、ナノ粒子乳濁液を形成することと、
（ｉｖ）（ｉｉｉ）の乳濁液をボルテックスすることと、
（ｖ）（ｉｖ）の乳濁液を０℃で数分間超音波処理した後に、前記乳濁液を２％（ｗ／ｗ）のポリビニルアルコールを含有した攪拌水相溶液に注ぎ、有機溶媒が蒸発するまで攪拌し続けることと、任意選択的に、
（ｖｉ）得られた組成物を１４，０００×ｒｐｍで約３０分間の遠心分離により精製することと、
（ｖｉｉ）（ｖｉ）の上澄み液を捨てた後に、得られたナノ粒子をｄｄＨ２Ｏで洗浄し、１４，０００×ｒｐｍで約３０分間遠心分離することと、
（ｖｉｉｉ）（ｖｉｉｉ）の生成物をｄｄＨ２Ｏに再懸濁した後に、３５００×ｒｐｍで約５分間遠心分離することと、
（ｉｘ）（ｖｉｉｉ）の上澄み液を採取して、Ａｍｉｃｏｎ（登録商標）Ｕｌｔｒａ  Ｃｅｎｔｒｉｆｕｇａｌフィルタ（５０ｋＤカットオフ）により濃縮した後に、１４，０００×ｒｐｍで約１０分間遠心分離して遊離ダクチノマイシンを除去することと、を含む、前記方法。
【請求項１７】
前記組成物における遊離ダクチノマイシンの量が、ナノ粒子に封入されたダクチノマイシンの量の５重量％未満、４重量％未満、３重量％未満、２重量％未満、又は１重量％未満である、請求項１６に記載の方法。
【手続補正書】
【提出日】令和2年9月11日(2020.9.11)
【手続補正１】
【補正対象書類名】特許請求の範囲
【補正対象項目名】全文
【補正方法】変更
【補正の内容】
【特許請求の範囲】
【請求項１】
水１ｍＬあたり結晶０．０１〜０．１ｍｇという濃度の水中の結晶の懸濁物を用い、１７３°後方散乱検出器を備えたＭａｌｖｅｒｎ  Ｚｅｔａｓｉｚｅｒ  Ｎａｎｏ−ＺＳＰ又は同等の装置上で、２５℃で動的光散乱により測定して、１００〜８００ｎｍという強度平均の、平均流体力学的直径（Ｚ平均）（「ＭＨＤ」）を有する４−メチル−５−（ピラジン−２−イル）−３Ｈ−１，２−ジチオール−３−チオンの結晶を含む組成物。
【請求項２】
前記ＭＨＤが約１００〜約６００ｎｍである、請求項１に記載の組成物。
【請求項３】
前記結晶の多分散性指数（ＰｄＩ）が、ＰｄＩ＝（σ／ｄ）２として定義され、ここでσが標準偏差であり、かつｄが、該結晶の平均流体力学的直径（Ｚ平均）であり、約０．１０〜約０．６０である、請求項１または２に記載の組成物。
【請求項４】
２０℃の水中での前記結晶の溶解度が、約３．５〜約８．０μｇ／ｍｌである、請求項１〜３のいずれかに１項に記載の組成物。
【請求項５】
請求項１〜４のいずれか１項に記載の組成物であって、さらに安定化剤を含み、該安定化剤が、
ｉ）アクリレート及びアルケニルエーテル系コポリマー、ポリビニルピロリジン、セルロース系ポリマー、コポビドン、ポリ（エチレンオキシド）、ポロキサマー及びポリ（エチレンオキシド）コポリマー、アクリルアミドポリマー、またはポリ（エチルアクリレート−コ−メチルメタクリレート−コ−トリメチルアンモニオエチルメタクリレートクロリド１：２：０．２）から選択されるポリマー安定化剤；ならびに／あるいは
ｉｉ）イソステアリン酸ナトリウム、セチルアルコール、ポリソルベート、ステアレス−１０、ドデシル硫酸ナトリウム（ラウリル硫酸ナトリウム）、ラウリルジメチルアミンオキシド、セチルトリメチルアンモニウム臭化物（ＣＴＡＢ）、ポリエトキシル化アルコール、ポリオキシエチレンソルビタン、オクトキシノール、Ｎ，Ｎ−ジメチルドデシルアミン−Ｎ−オキシド、ヘキサデシルトリメチルアンモニウムブロミド（ＨＴＡＢ）、ポリオキシル１０ラウリルエーテル、胆汁酸塩、ポリオキシルヒマシ油、ノニルフェノールエトキシレート、シクロデキストリン、レシチン、ジメチコンコポリオール、ラウラミドＤＥＡ、コカミドＤＥＡ、コカミドＭＥＡ、オレイルベタイン、コカミドプロピルベタイン、コカミドプロピルホスファチジルＰＧ−ジモニウムクロリド、リン酸ジセチル（リン酸ジヘキサデシル）、セテアレス−１０リン酸、塩化メチルベンゼトニウム、リン酸ジセチル、セテス−１０リン酸、セテス−２０、Ｂｒｉｊ  Ｓ１０（ポリエチレングリコールオクタデシルエーテル、平均Ｍｎ〜７１１）、ＰＥＧ−２０フィトステロール、ポロキサマー、ポリオキシエチレングリコールアルキルエーテル、ポリオキシエチレングリコールアルキルフェノールエーテル、グリセロールアルキルエステル、ポリオキシエチレングリコールソルビタンアルキルエステル、ソルビタンアルキルエステル、コカミド、及びポリオキシエチレン（２０）ソルビタンモノオレエートから選択される界面活性剤、
を含む、前記組成物。
【請求項６】
増量剤をさらに含み、該増量剤がポリビニルピロリドン、及びセルロース系ポリマーから選択される、請求項５に記載の組成物。
【請求項７】
乾燥形態であり、水及び／又は任意の非水性溶媒を実質的に含まない、請求項１〜６のいずれか１項に記載の組成物。
【請求項８】
請求項７に記載の組成物であって、ここで：
ｉ）該組成物中のオルチプラズのパーセンテージが、約１５〜約１７重量％であり；
ｉｉ）該組成物が、（ｉ）約２５〜約３０重量％（該組成物中の増量剤を除く固形成分の重量に基づく）の１つ以上のコポビドン、及びポリメタクリレート系コポリマー；ならびに／または（ｉｉ）約１４〜約１５重量％（該組成物中の増量剤を除く固体成分の重量に基づく）のポリソルベート８０（Ｔｗｅｅｎ  ８０）を含み； 
ｉｉｉ）該組成物が、約７０〜約７８重量％（該組成物の全重量に基づいて）のＰＶＰ−ＶＡ６４である増量剤を含み；かつ
ｉｖ）該組成物が、該組成物中の増量剤を除く固体成分の重量に基づいて０．１〜１重量％のシメチコンを任意に含む、前記組成物。
【請求項９】
水溶性液中に請求項１〜８のいずれか１項記載の組成物を含む水性懸濁物であって、該組成物対該水性溶液の比が、１：１０〜１：２００である、前記水性懸濁物。
【請求項１０】
請求項９に記載の水性懸濁物であって：
ｉ）前記組成物が液体剤形であり、少なくとも１つの薬学的に許容される希釈剤、アジュバント；懸濁剤及び／もしくは担体を含むか；または
ｉｉ）前記組成物が乾燥剤形であり、かつ少なくとも１つの薬学的に許容される添加剤、潤滑剤、賦形剤もしくは希釈剤を含む、前記水性懸濁物。
【請求項１１】
経口投与、局所投与、直腸投与、もしくは結腸投与用、または吸入投与用である、請求項９又は１０に記載の水性懸濁物。
【請求項１２】
請求項１〜８のいずれか１項に記載の組成物、又は請求項９〜１１のいずれか１項に記載の水性懸濁物を含む薬学的組成物。
【請求項１３】
それを必要とする患者における粘膜炎の治療に使用する、請求項１２に記載の薬学的組成物であって、該患者が放射線療法を受けていてもよい、前記薬学的組成物。
【請求項１４】
以下を備えるキット：
ｉ）請求項１〜８のいずれか１項に記載の組成物、請求項９〜１１のいずれかに１項に記載の水性懸濁物、又は、請求項１２又は請求項１３に記載の薬学的組成物；と
ｉｉ）（Ａ）該組成物、該水性懸濁物、もしくは該薬学的組成物の経口投与のためのデバイス又は（Ｂ）該組成物、該水性懸濁物、もしくは該薬学的組成物の吸入投与のための吸入デバイスのいずれか、を備える、前記キット。
【請求項１５】
請求項１〜８のいずれか１項に記載のある量の結晶を含む組成物の製造方法であって：
ｉ）液体及び４−メチル−５−（ピラジン−２−イル）−３Ｈ−１，２−ジチオール−３−チオンを含む組成物を少なくとも１の安定化剤の存在下において、湿式粉砕して、水１ｍＬあたり結晶０．０１〜０．１ｍｇの濃度で水中の結晶の懸濁物を用い、２５℃で動的光散乱により測定して、１００〜８００ｎｍ又は１５０〜６００ｎｍという強度平均の、平均流体力学直径（Ｚ平均）（「ＭＨＤ」）を有する結晶を含む液体組成物を生成すること、
ｉｉ）請求項６に記載の増量剤を、ステップ（ｉ）で生成された結晶を含む該液体組成物に任意に添加すること、及び／又は
ｉｉｉ）結晶を含む該液体組成物から液体を任意に除去して乾燥組成物を形成し、好ましくは前記液体組成物からの液体の除去は、該液体組成物の噴霧乾燥または凍結乾燥ステップを含むこと、を含む前記製造方法。
【請求項１６】
医薬の製造における、請求項１〜８のいずれか１項記載の組成物の使用。
【請求項１７】
水性液状の薬学的組成物を提供するための薬学的に許容し得る容器であって、乾燥した薬学的組成物と、該乾燥薬学的組成物と混合して該水性液状の薬学的組成物を形成するのに十分な量の水を含む、一定量の液体との双方を保持するのに十分なサイズのキャビティを有し、該乾燥した薬学的組成物が、請求項１〜８のいずれか１項に記載され、かつ、実質的に水及び非水性溶媒を含まない組成物である、前記容器。
【誤訳訂正書】
【提出日】令和2年10月19日(2020.10.19)
【誤訳訂正１】
【訂正対象書類名】明細書
【訂正対象項目名】００４９
【訂正方法】変更
【訂正の内容】
【００４９】
用語「粘度」は、剪断応力または引張り応力のいずれかによって変形されている流体の抵抗を測定した値を意味し;粘度計(例えば、落球式粘度計)またはレオメーターを用いて評価することができる。別段の定めが無い限り、粘度測定値(センチポアズ、cP)は、約25℃、100,000〜250,000 1/secの範囲の剪断速度におけるものである。
【手続補正書】
【提出日】令和2年9月25日(2020.9.25)
【手続補正１】
【補正対象書類名】特許請求の範囲
【補正対象項目名】全文
【補正方法】変更
【補正の内容】
【特許請求の範囲】
【請求項１】
急性及び慢性炎症状態を治療するための医薬組成物の製造における、治療的有効量の式Ｉの化合物：
【化１】
2019531356.tif 000001
又はその薬学的に許容される塩の使用。
【請求項２】
前記医薬組成物は第２の治療剤を更に含む、請求項１に記載の使用。
【請求項３】
第２の治療剤は、抗血小板薬、アンジオテンシンＩＩ阻害薬、ＡＣＥ阻害薬、Ｃａ＋＋チャネル遮断薬、インスリン感作薬、ＨＭＧ−ＣｏＡレダクターゼ阻害薬、β遮断薬、非ステロイド系抗炎症薬、ステロイド系抗炎症薬、ペルオキシソーム増殖因子活性化受容体（ＰＰＡＲ）モジュレーター、及びそれらの組み合わせからなる群から選択される、請求項２に記載の使用。
【請求項４】
臓器移植拒絶反応を治療するための医薬組成物の製造における、有効量の式Ｉの化合物：
【化２】
2019531356.tif 000002
の使用。
【請求項５】
臓器移植が皮膚同種移植である、請求項４に記載の使用。
【請求項６】
臓器移植拒絶反応を治療するための医薬組成物の製造における、有効量の式Ｉの化合物：
【化３】
2019531356.tif 000003
又はその薬学的に許容される塩、及び担体の使用。
【請求項７】
臓器移植が皮膚同種移植である、請求項６に記載の使用。
【手続補正書】
【提出日】令和2年10月14日(2020.10.14)
【手続補正１】
【補正対象書類名】特許請求の範囲
【補正対象項目名】全文
【補正方法】変更
【補正の内容】
【特許請求の範囲】
【請求項１】
下記を含む医薬組成物 
(a)式(Ｉ)のSSAO/VAP-1阻害剤またはその医薬的に許容される塩：
【化１】
2019531320.tif 000001
(式中、
R1およびR4は、独立して、水素または置換されていてもよいC1-6-アルキルであり；
R2およびR3は、独立して、水素、塩素およびフッ素からなる群から選択されるが；R2とR3は同時に水素ではなく；
R5は、置換されていてもよいアリーレン基であり；
R6は、下記基から選択され
【化２】
2019531320.tif 000002
；
R7およびR8は、独立して、水素、置換されていてもよいC1-6-アルキルおよび置換されていてもよいC3-7-シクロアルキルからなる群から選択され；
Xは、CH2、酸素、硫黄またはSO2である)；および
(b)SGLT2阻害剤。
【請求項２】
前記SSAO/VAP-1阻害剤が、式(II)を有する化合物またはその医薬的に許容される塩である、請求項１記載の医薬組成物：
【化３】
2019531320.tif 000003
(式中、
R5は、置換されていないフェニレン基、又はアルキル、ハロ、アルコキシ及びハロアルキルから独立して選択される１個以上の基で置換されたフェニレン基であり；
R6は、下記の基から選択され
【化４】
2019531320.tif 000004
;
R7およびR8は、独立して、水素、置換されていてもよいC1-6アルキルおよび置換されていてもよいC3-7シクロアルキルからなる群から選択され；
Xは、酸素である)。
【請求項３】
前記SSAO/VAP-1阻害剤が、下記の化合物からなる群から選択される、請求項１または２記載の医薬組成物
(E)-4-(2-(アミノメチル)-3-フルオロアリルオキシ)ベンズアミド；
(E)-4-(2-(アミノメチル)-3-フルオロアリルオキシ)ベンゼンスルホンアミド；
(E)-4-(2-(アミノメチル)-3-フルオロアリルオキシ)-N,N-ジメチルベンズアミド；
(E)-4-(2-(アミノメチル)-3-フルオロアリルオキシ)-N,N-ジメチルベンゼンスルホンアミド；
(E)-4-(2-(アミノメチル)-3-フルオロアリルオキシ)-N-tert-ブチルベンゼンスルホンアミド；
(E)-4-(2-(アミノメチル)-3-フルオロアリルオキシ)-N-tert-ブチル-3-フルオロベンズアミド；
(E)-4-(2-(アミノメチル)-3-フルオロアリルオキシ)-N-tert-ブチル-2-(トリフルオロメチル)ベンズアミド；
(E)-4-(2-(アミノメチル)-3-フルオロアリルオキシ)-N-tert-ブチルベンズアミド；
(E)-4-(2-(アミノメチル)-3-フルオロアリルオキシ)-N,N-ジエチルベンズアミド；
(E)-4-(2-(アミノメチル)-3-フルオロアリルオキシ)-N-メチルベンズアミド；
(E)-4-(2-(アミノメチル)-3-フルオロアリルオキシ)-N-メチルベンゼンスルホンアミド；
(E)-4-(2-(アミノメチル)-3-フルオロアリルオキシ)-N-エチルベンゼンスルホンアミド；
(E)-4-(2-(アミノメチル)-3-フルオロアリルオキシ)-N-イソプロピルベンゼンスルホンアミド；および
(E)-4-(2-(アミノメチル)-3-フルオロアリルオキシ)-N-イソプロピルベンズアミド。
【請求項４】
前記SGLT2阻害剤が、エンパグリフロジン、ダパグリフロジン、カナグリフロジン、イプラグリフロジン、トホグリフロジン、ルセオグリフロジン、アチグリフロジン、レモグリフロジン、セルグリフロジン、エルツグリフロジンおよびソタグリフロジンの群から選択される、請求項１〜３のいずれか１項記載の医薬組成物。
【請求項５】
線維性疾患、代謝性疾患、炎症性疾患、眼疾患、神経炎症性疾患または癌を、予防し、進行を減速させ、遅延させまたは治療するための、請求項１〜４のいずれか１項記載の医薬組成物。
【請求項６】
前記線維性疾患が、嚢胞性線維症、間質性肺疾患(特発性肺線維症を含める)、肝線維症、非アルコール性脂肪性肝炎(NASH)、アルコール性脂肪肝、アルコール性肝線維症、毒物性脂肪肝および肝硬変、腎線維症、強皮症、放射線線維症ならびに過度の繊維形成が病因に関与する他の疾患からなる群から選択される、請求項５記載の医薬組成物。
【請求項７】
前記代謝性疾患が、真性糖尿病前症、１型真性糖尿病、２型真性糖尿病、真性糖尿病に関連する合併症、過体重、肥満、耐糖能異常(IGT)、空腹時血糖障害(IFG)、高血糖、食後高血糖、インスリン抵抗性、脂肪肝(非アルコール性脂肪性肝疾患(NAFLD)を含める)、過体重、肥満およびメタボリックシンドロームからなる群から選択される、請求項５記載の医薬組成物。
【請求項８】
前記代謝性疾患が、下記からなる群：
白内障、ならびに、微小血管症および大血管症（例えば、糖尿病性腎症、糸球体硬化症、糖尿病性網膜症、脈絡膜血管新生、非アルコール性脂肪肝(NAFL)疾患、非アルコール性脂肪性肝炎(NASH)、糖尿病性神経障害、糖尿病性疼痛、組織虚血、糖尿病足、糖尿病性潰瘍、動脈硬化症、心筋梗塞、急性冠症候群、不安定狭心症、安定狭心症、脳卒中、末梢動脈閉塞疾患、心筋症、心不全、心血管死、心臓リズム障害および血管再狭窄）
から選択される真性糖尿病に関連する合併症である、請求項７記載の医薬組成物。
【手続補正書】
【提出日】令和2年8月7日(2020.8.7)
【手続補正１】
【補正対象書類名】特許請求の範囲
【補正対象項目名】全文
【補正方法】変更
【補正の内容】
【特許請求の範囲】
【請求項１】
抗体の結晶性断片（Ｆｃ）領域に融合しているアポリポタンパク質Ｍ（ＡｐｏＭ）ポリペプチドを含む、融合タンパク質。
【請求項２】
ＡｐｏＭポリペプチドが、配列番号９のアミノ酸２１−１８８を含む、請求項１に記載の融合タンパク質。
【請求項３】
ＡｐｏＭポリペプチドが、配列番号９に記載されるアミノ酸配列を含む、請求項１に記載の融合タンパク質。
【請求項４】
Ｆｃ領域がＡｐｏＭポリペプチドのアミノ末端に融合している、請求項１に記載の融合タンパク質。
【請求項５】
Ｆｃ領域がＡｐｏＭポリペプチドのカルボキシル末端に融合している、請求項１に記載の融合タンパク質。
【請求項６】
Ｆｃ領域が、ＩｇＧ抗体、ＩｇＭ抗体、ＩｇＡ抗体、ＩｇＥ抗体、およびＩｇＤ抗体からなる群から選択されるＦｃ領域である、請求項１に記載の融合タンパク質。
【請求項７】
Ｆｃ領域が、ＩｇＧ１−Ｆｃである、請求項６に記載の融合タンパク質。
【請求項８】
リン脂質またはリゾリン脂質との複合体における請求項１に記載の融合タンパク質を含む、組成物。
【請求項９】
リン脂質が、ホスホコリンを含む、請求項８に記載の組成物。
【請求項１０】
リン脂質が、スフィンゴシン１−リン酸（Ｓ１Ｐ）を含む、請求項８に記載の組成物。
【請求項１１】
組成物が、融合タンパク質と、リン脂質またはリゾリン脂質とを混合すること、混合物をインキュベートして複合体を形成させること、および複合体を精製すること、により形成される、請求項８に記載の組成物。
【請求項１２】
リン脂質が、ホスホコリンを含む、請求項１１に記載の組成物。
【請求項１３】
リン脂質が、スフィンゴシン１−リン酸（Ｓ１Ｐ）を含む、請求項１１に記載の組成物。
【請求項１４】
高血圧症、心臓の虚血、脳の虚血、加速性アテローム性動脈硬化症、非心臓性の再灌流障害および末梢血管疾患からなる群から選択される状態を処置するための、請求項８〜１３のいずれか一項に記載の組成物。
【請求項１５】
前記高血圧症が、一次抵抗性高血圧症、二次抵抗性高血圧症、神経性高血圧症、妊娠高血圧症（妊娠高血圧腎症）、糖尿病性妊娠高血圧腎症、および慢性腎疾患の高血圧症からなる群から選択される状態を含む、請求項１４に記載の組成物。
【請求項１６】
前記心臓の虚血が、心臓性の再灌流障害、心筋梗塞、急性冠症候群および狭心症からなる群から選択される疾患を含む、請求項１４に記載の組成物。
【請求項１７】
前記非心臓性の再灌流障害が、肝虚血、腎虚血、腸管虚血、筋虚血からなる群から選択される虚血の結果としての障害を含む、請求項１４に記載の組成物。
【請求項１８】
フィンゴリモドで処置される患者において、フィンゴリモドの副作用を低減させるための、請求項８〜１３のいずれか一項に記載の組成物。
【手続補正書】
【提出日】令和2年10月6日(2020.10.6)
【手続補正１】
【補正対象書類名】特許請求の範囲
【補正対象項目名】全文
【補正方法】変更
【補正の内容】
【特許請求の範囲】
【請求項１】
エデト酸塩、ジクロロフェン、クロルプロチキセン、ペルフェナジン、チオリダジン及びトリフロペラジンから選択される少なくとも一つの化合物又はその薬学的に許容される誘導体と、カルバペネム又はその薬学的に許容される誘導体とを含む組み合わせ。
【請求項２】
前記カルバペネムが、メロペネム、イミペネム、ドリペネム及びエルタペネム又はそれらの薬学的に許容される誘導体からなる群から選択される、請求項１に記載の組み合わせ。
【請求項３】
前記カルバペネムがメロペネム又はその薬学的に許容される誘導体である、請求項１又は請求項２に記載の組み合わせ。
【請求項４】
微生物感染治療で使用するための、好ましくは微生物感染に関連する増殖性及び／又は臨床的に潜伏性の微生物を死滅させるための、請求項１〜３のいずれか１項に記載の組み合わせ。
【請求項５】
前記微生物感染が細菌感染、好ましくはグラム陰性菌感染である、請求項４に記載の使用のための組み合わせ。
【請求項６】
前記細菌感染が、大腸菌（E. coli）又はクレブシエラ・ニューモニエ（Klebs. pneumoniae）によって引き起こされる、請求項５に記載の使用のための組み合わせ。
【請求項７】
前記感染が、前記細菌の薬剤耐性株によって引き起こされる、請求項５又は請求項６に記載の使用のための組み合わせ。
【請求項８】
微生物感染治療用の医薬品製造における、カルバペネム又はその薬学的に許容される誘導体と組み合わせた、エデト酸塩、ジクロロフェン、クロルプロチキセン、ペルフェナジン、チオリダジン及びトリフロペラジンから選択される少なくとも一つの化合物又はその薬学的に許容される誘導体の使用。
【請求項９】
前記カルバペネムが、メロペネム、イミペネム、ドリペネム及びエルタペネム又はその薬学的に許容される誘導体からなる群から選択され、好ましくはメロペネム又はそれらの薬学的に許容される誘導体である、請求項８に記載の使用。
【請求項１０】
前記微生物感染が細菌感染である、請求項８又は請求項９に記載の使用。
【請求項１１】
前記細菌感染が、グラム陰性菌感染、好ましくは大腸菌（E. coli）又はクレブシエラ・ニューモニエ（Klebs. pneumoniae）によって引き起こされる感染である、請求項１０に記載の使用。
【請求項１２】
前記感染が薬剤耐性株によって引き起こされる、請求項１１に記載の使用。
【請求項１３】
膿瘍、喘息、細菌性赤痢、細菌性結膜炎、細菌性角膜炎、細菌性膣炎、骨及び関節の感染症、気管支炎（急性若しくは慢性）、ブルセラ症、火傷、猫引っ掻き熱、蜂巣炎、軟性下疳、胆管炎、胆嚢炎、嚢胞性線維症、膀胱炎、腎炎、びまん性汎細気管支炎、虫歯、上気道疾患、蓄膿症、心内膜炎、子宮内膜炎、腸チフス、腸炎、精巣上体炎、喉頭蓋炎、眼感染症、フルンケル、ガルドネレラ菌性膣炎、胃腸管感染（胃腸炎）、生殖器感染、歯肉炎、淋病、鼠径部肉芽腫、ハーバーヒル熱、感染熱傷、歯科手術後の感染、口腔領域の感染、人工器官に関連する感染、腹腔内膿瘍、レジオネラ症、レプトスピラ症、リステリア症、肝臓膿瘍、ライム病、鼠径リンパ肉芽腫、乳腺炎、乳様突起炎、髄膜炎及び神経系の感染、非特異的尿道炎、眼炎（例えば、新生児眼炎）、骨髄炎、耳炎（例えば、外耳炎及び中耳炎）、精巣炎、膵炎、爪周囲炎、骨盤腹膜炎、腹膜炎、虫垂炎に伴う腹膜炎、咽頭炎、胸水、肺炎、術後創傷感染、術後ガス壊疽、前立腺炎、偽膜性大腸炎、オウム病、腎盂腎炎、Ｑ熱、ネズミ咬熱、リッター病、サルモネラ症、卵管炎、敗血症性関節炎、敗血症性感染、敗血症、全身感染、へんとう炎、トラコーマ、腸チフス、尿道炎、尿道感染、創傷感染；又は大腸菌（Escherichia coli）、クレブシエラ・ニューモニエ（Klebs. pneumoniae）、クレブシエラ・オキシトカ（Klebs. oxytoca）、プロテウス・ミラビリス（Pr. mirabilis）、プロテウス・レトゲリ（Pr. rettgeri）、プロテウス・バルガリス（Pr. vulgaris）、インフルエンザ菌（Haemophilis influenzae）、エンテロコッカス・フェカリス（Enterococcus faecalis）、エンテロコッカス・ファシウム（Enterococcus faecium）及びエンテロバクター・クロアカ（Enterobacter cloacae）による感染の治療のための、請求項８〜１２のいずれか１項に記載の使用。
【請求項１４】
カルバペネム又はその薬学的に許容される誘導体と組み合わせてなる、エデト酸塩、ジクロロフェン、クロルプロチキセン、ペルフェナジン、チオリダジン及びトリフロペラジンから選択される少なくとも一つの化合物又はその薬学的に許容される誘導体と、薬学的に許容される補助剤、希釈剤又は担体とを含む医薬組成物。
【請求項１５】
微生物感染治療における同時、別個又は順次使用のための組み合わせ薬剤としての、エデト酸塩、ジクロロフェン、クロルプロチキセン、ペルフェナジン、チオリダジン及びトリフロペラジンから選択される少なくとも一つの化合物又はその薬学的に許容される誘導体と、カルバペネム又はその薬学的に許容される誘導体とを含む製品。
【手続補正書】
【提出日】令和2年7月28日(2020.7.28)
【手続補正１】
【補正対象書類名】特許請求の範囲
【補正対象項目名】全文
【補正方法】変更
【補正の内容】
【特許請求の範囲】
【請求項１】
式１：
【化２】
2019531301.tif 000001
［式中：
（ａ）Ａｒ1は、フェニル又はＣ1−Ｃ6アルキル、Ｃ1−Ｃ6ハロアルキル及びＣ1−Ｃ6ハロアルコキシから独立して選ばれる１個以上の置換基を有する置換フェニルであり、（ｂ）Ｈｅｔは、トリアゾリル、イミダゾリル、ピロリル又はピラゾリルであり、
（ｃ）Ａｒ2は、フェニル又はＣ1−Ｃ6アルキル、Ｃ1−Ｃ6ハロアルキル及びＣ1−Ｃ6ハロアルコキシから独立して選ばれる１個以上の置換基を有する置換フェニルであり、
（ｄ）Ｒ3及びＲ4は、それぞれ独立して、Ｈ、Ｆ、Ｃｌ、Ｃ1−Ｃ6アルキル、Ｃ1−Ｃ6アルコキシ、Ｃ1−Ｃ6ハロアルキル、Ｃ1−Ｃ6ハロアルコキシ、フェニル又はフェノキシから選ばれ、
Ｒ1及びＲ2は、一緒になって１個以上のＣ＝Ｏ、Ｃ＝Ｓ、Ｎ、Ｓ又はＯを含有する５−〜７−員環を形成し、そのような環は、ＯＨ、Ｆ、Ｃｌ、Ｂｒ、Ｉ、Ｃ1−Ｃ6アルキル、Ｃ1−Ｃ6ハロアルキル、Ｃ1−Ｃ6ヒドロキシアルキル、Ｃ1−Ｃ6アルコキシ、Ｃ1−Ｃ6ハロアルコキシ、フェニル又はフェノキシで任意的に置換されており、
ここで前記フェニル又はフェノキシは、１個以上のＯＨ、Ｆ、Ｃｌ、Ｂｒ、Ｉ、Ｃ1−Ｃ6アルキル、Ｃ1−Ｃ6ハロアルキル、Ｃ1−Ｃ6ヒドロキシアルキル、Ｃ1−Ｃ6アルコキシ、Ｃ1−Ｃ6ハロアルコキシ又はフェニルで任意的に置換されており、そして
（ｅ）Ａｒ3は、ＯＨ、Ｆ、Ｃｌ、Ｂｒ、Ｉ、Ｃ1−Ｃ6アルキル、Ｃ1−Ｃ6ハロアルキル、Ｃ1−Ｃ6ヒドロキシアルキル、Ｃ1−Ｃ6アルコキシ、Ｃ1−Ｃ6ハロアルコキシ、フェニル又はフェノキシから独立して選ばれる１個以上の置換基で任意的に置換されたフェニルである］
の構造を有する分子。
【請求項２】
Ａｒ1が、ＯＣＦ3、ＯＣＦ2ＣＦ3及びＣＦ3から独立して選ばれる１個以上の置換基を有する置換フェニルである、請求項１に記載の分子。
【請求項３】
Ｈｅｔが１，２，４−トリアゾリルである、請求項１に記載の分子。
【請求項４】
Ａｒ2がフェニルである、請求項１に記載の分子。
【請求項５】
Ａｒ2が、ＯＣＦ3、ＯＣＦ2ＣＦ3及びＣＦ3から独立して選ばれる１個以上の置換基を有する置換フェニルである、請求項１に記載の分子。
【請求項６】
Ｒ1及びＲ2が一緒になって１又は２個のＣ＝Ｏを含有する５−員環を形成し、そのような環は任意的にＯＨ、Ｆ、Ｃｌ、Ｂｒ、Ｉ、ＣＮ、Ｃ1−Ｃ6アルキル、Ｃ1−Ｃ6ハロアルキル、Ｃ1−Ｃ6アルコキシ、Ｃ1−Ｃ6ハロアルコキシ、フェニル又はフェノキシで置換されている、請求項１に記載の分子。
【請求項７】
Ｒ3及びＲ4のそれぞれが、独立して、Ｈ、Ｆ、Ｃｌ又はＣ1−Ｃ6アルキルである、請求項１に記載の分子。
【請求項８】
Ａｒ3が、１個以上のＯＨ、Ｆ、Ｃｌ、Ｂｒ、Ｉ、Ｃ1−Ｃ6アルキル、Ｃ1−Ｃ6ハロアルキル、Ｃ1−Ｃ6ヒドロキシアルキル、Ｃ1−Ｃ6アルコキシ又はＣ1−Ｃ6ハロアルコキシを有する置換フェニルである、請求項１に記載の分子。
【請求項９】
表１に挙げられる化合物から選ばれる構造を有する、請求項１に記載の分子。
表１
【表１−１】
2019531301.tif 000002
【表１−２】
2019531301.tif 000003
【請求項１０】
有害生物を抑制するために、請求項１に記載の分子を、ある領域に、そのような有害生物の抑制に十分な量で適用することを含む、請求項１に記載の分子の適用方法。
【請求項１１】
前記有害生物が、シロイチモジヨトウ（ＢＡＷ）、キャベツルーパー（ＣＬ）又はネッタイシマカ（ＹＦＭ）である、請求項１０に記載の方法。
【請求項１２】
請求項１に記載の分子の有害生物防除的に許容され得る酸付加塩、塩誘導体、溶媒和物又はエステル誘導体である、分子。
【請求項１３】
少なくとも１個のＨが2Ｈであるか、又は、少なくとも１個のＣが14Ｃである、請求項１に記載の分子。
【請求項１４】
請求項１に記載の分子と、殺虫、除草、殺ダニ、殺線虫又は殺菌・殺カビ活性を有する少なくとも１種の他の化合物とを含む、組成物。
【請求項１５】
請求項１に記載の分子と種子とを含む、組成物。
【請求項１６】
１つ以上の特殊な形質を発現するように遺伝子組換えされた遺伝子組換え植物又は遺伝子組換え種子に請求項１に記載の分子を適用することを含む、方法。
【請求項１７】
内部寄生生物、外部寄生生物又はこれらの両方の抑制のために、ヒト以外の動物に請求項１に記載の分子を経口的に投与するか、又は、局所的に適用することを含む、方法。
【手続補正書】
【提出日】令和1年11月19日(2019.11.19)
【手続補正１】
【補正対象書類名】特許請求の範囲
【補正対象項目名】全文
【補正方法】変更
【補正の内容】
【特許請求の範囲】
【請求項１】
体液を排出するための封止可能な開口を含む防水性の１着のズボンおよび／またはウェーダであって、
第１の脚部および第２の脚部を備える１着のズボンおよび／またはウェーダであって、前記第１の脚部および前記第２の脚部が、着用者のウエスト、またはウエストと首の間で終端する胴部に接続され、前記１着のズボンおよび／またはウェーダが、防水性の材料を備え、前記１着のズボンが１足の防水性または耐水性のブーティまたはブーツを覆って滑動するように構成され、および／または前記１着のウェーダが前記１足の防水性または耐水性のブーティまたはブーツに取り付けられている、１着のズボンおよび／またはウェーダと、
前記１着のズボンおよび／またはウェーダの鼠径部分に設けられ、前記１着のズボンおよび／またはウェーダに対して防水的に封止される剛性の枠部であって、前記枠部が、前記１着のズボンおよび／またはウェーダの外側を前記１着のズボンおよび／またはウェーダの内側から隔てる枠部アパーチャを形成する、剛性の枠部と、
前記枠部に枢動可能に接続され、前記枠部の前側で前記枠部アパーチャと係合するように構成される、剛性の蓋部と、
前記枠部と前記蓋部の間に設けられて、前記蓋部が閉位置にあるとき、前記枠部アパーチャの防水性閉止具を形成する、封止部と、
裏当てアパーチャを形成する剛性の裏当てであって、前記鼠径部分において、前記裏当ての第１の面と前記枠部の裏側面が、それらの間に前記１着のズボンおよび／またはウェーダの前記防水性の材料を捕捉する、裏当てと、
前記枠部の前記裏側面に形成される周縁アンダーカットと、
前記裏当てアパーチャの内周部に沿って形成される隆起縁部と、を備え、
前記裏当ての前記隆起縁部が前記枠部の前記周縁アンダーカットの中に配置され、前記隆起縁部および前記周縁アンダーカットが、前記裏当てアパーチャおよび前記枠部アパーチャと整列している、
防水性の１着のズボンおよび／またはウェーダ。
【請求項２】
前記枠部アパーチャは、輪郭が大きい方のアパーチャが、同様に形作られた輪郭が小さい方のアパーチャと少なくとも部分的に重なる形状を備え、前記輪郭が大きい方のアパーチャが、前記枠部アパーチャの上部に設けられ、前記輪郭が小さい方のアパーチャが、前記枠部アパーチャの下部に設けられる、請求項１に記載の防水性の１着のズボンおよび／またはウェーダ。
【請求項３】
前記１着のズボンが、さらに、前記第１の脚部および前記第２の脚部に恒久的または取外し可能にそれぞれ接続される第１の足部、ブーティまたはブーツ部と、第２の足部、ブーティまたはブーツ部と、を含む、請求項２に記載の防水性の１着のズボンおよび／またはウェーダ。
【請求項４】
前記輪郭が大きい方のアパーチャが、大きい方の円弧の形状を有し、前記輪郭が小さい方のアパーチャが、小さい方の円弧の形状を有する、請求項３に記載の防水性の１着のズボンおよび／またはウェーダ。
【請求項５】
前記枠部アパーチャと前記裏当てアパーチャの両方が、前記輪郭が大きい方のアパーチャが少なくとも部分的に、前記輪郭が小さい方のアパーチャと重なる形状を備える、請求項３に記載の防水性の１着のズボンおよび／またはウェーダ。
【請求項６】
前記枠部の前記裏側面と前記１着のズボンおよび／またはウェーダの前記防水性の材料との間、かつ／または前記裏当ての前記第１の面と前記１着のズボンおよび／またはウェーダの前記防水性の材料との間に配置される少なくとも１つの接着結合剤を備える、請求項５に記載の防水性の１着のズボンおよび／またはウェーダ。
【請求項７】
前記裏当てアパーチャの面積が、前記枠部アパーチャと比べて等しい、またはそれより大きい、請求項６に記載の防水性の１着のズボンおよび／またはウェーダ。
【請求項８】
前記隆起縁部が、前記枠部アパーチャの第２の内周部に沿って前記枠部の第２の隆起縁部に形成される前記周縁アンダーカットの中に配置される、請求項６に記載の防水性の１着のズボンおよび／またはウェーダ。
【請求項９】
前記蓋部が、前記蓋部が前記閉位置にあるとき前記枠部に向かって延在する第３の隆起縁部を備え、前記蓋部が前記閉位置にあるとき、前記蓋部の前記第３の隆起縁部が、前記枠部の前記第２の隆起縁部に整列し、前記封止部の少なくとも一部をそれらの間で互いに捕捉する、請求項８に記載の防水性の１着のズボンおよび／またはウェーダ。
【請求項１０】
前記枠部の前記裏側面、および／または前記裏当ての前記第１の面が、非平滑面を備え、
前記非平滑面が、一連の溝、一連のチャネルまたは粗面のテクスチャ加工部を備え、
前記一連の溝、前記一連のチャネルまたは前記粗面のテクスチャ加工部が、前記枠部アパーチャおよび前記裏当てアパーチャの周りに設けられるとき、前記一連の溝、前記一連のチャネルまたは前記粗面のテクスチャ加工部が、前記枠部の前記裏側面および前記裏当ての前記第１の面の輪郭に従う、請求項５に記載の防水性の１着のズボンおよび／またはウェーダ。
【請求項１１】
前記枠部に接続され、前記蓋部を前記閉位置に保持するように構成される手動で解除可能な係止部または圧縮係止部を含む、請求項３に記載の防水性の１着のズボンおよび／またはウェーダ。
【請求項１２】
前記枠部または前記１着のズボンおよび／またはウェーダに接続され、前記蓋部を開位置に保持するように構成される一時的アタッチメント機構を含み、前記一時的アタッチメント機構が、磁石、面ファスナ、係止部またはカムを備える、請求項３に記載の防水性の１着のズボンおよび／またはウェーダ。
【手続補正２】
【補正対象書類名】明細書
【補正対象項目名】０１１９
【補正方法】変更
【補正の内容】
【０１１９】
[0207]面２２５と面２２６（および／または図７２に示される１００）に対する適切な結合技法の使用、ならびに接着剤１５８の使用により、図２９〜図３４のリベット１６８はもう必要ないことが当業者に理解される。これは、リベット、留め具、ねじ、ボルト、クリップなどの使用がもう必要とされないので、枠部２０４および裏当てプレート２０８の全体的な平坦度が最適化され得ることを意味する。また、これは本発明の全体的な外見に役立ち、組立時間を最も短くし、異常または欠陥の可能性を下げる。
【手続補正書】
【提出日】令和2年7月1日(2020.7.1)
【手続補正１】
【補正対象書類名】特許請求の範囲
【補正対象項目名】全文
【補正方法】変更
【補正の内容】
【特許請求の範囲】
【請求項１】
少なくとも１つのシリンダ（２）と、
一端において前記シリンダを閉じるシリンダヘッドと、
前記シリンダ内における往復運動のために前記シリンダ内に位置するピストン（１）と、
前記ピストンがその圧縮行程の終わりに到達するときに前記ピストン（１）の上側に位置する、前記シリンダ（２）内の不可避のバンプクリアランス容積と、
前記シリンダ（３）と連通する空気吸入口手段と、
前記シリンダと連通する排気手段と、
前記シリンダに対して相対的に近端および遠端を有する前記シリンダヘッドの中の燃焼チャンバ（５）であって、前記シリンダから離れて配置されているが、その近端において前記シリンダと連通している燃焼チャンバと、
前記ピストン（１）の圧縮行程の間に前記燃焼チャンバ内に接線速度成分を有して空気の噴流を放出するように配置され、前記シリンダ（２）と連通し、そして、前記燃焼チャンバ（５）とその近端において連通するトランスファ・オリフィス（７）と、
前記燃焼チャンバ内でその遠端に向かう方向に渦巻く空気の運動へ軸方向速度成分を進める手段（６）と、
前記燃焼チャンバの前記遠端の方へ向けて前記空気の噴流内に液体燃料噴霧を放出する目的で配置され、前記燃焼チャンバとその近端において直接連通するシリンダ毎に単一の燃料噴射手段（８）と、
前記燃焼チャンバの前記遠端の領域における少なくとも１つの点火手段（９）と、
前記燃料噴射のプロセス、前記点火のプロセス、および、空気取り入れのプロセスを制御するコントローラと
を備えてなる内燃エンジンを動作させる方法であって、
前記方法は、前記単一の燃料噴射手段（８）から前記シリンダ（２）内の前記ピストンの上側の前記バンプクリアランス容積への燃料の量の制御された放出を含み、前記点火手段（９）が前記燃焼チャンバ内の燃料に点火した後、および、前記ピストン（１）がその膨張行程を始めた後に、前記燃料の量の放出が起きる時間を定め、ここにおいて、前記燃料の量が、前記燃焼チャンバ（５）から前記シリンダ（２）の方へ流れるガスを膨張させることによって、前記バンプクリアランス容積へ移されることを特徴とする、方法。
【請求項２】
排気ガスが遊離酸素を遮断して、窒素酸化物（NOX）を前記排気ガスから除去することを可能にする必要があるときに実行される方法であって、前記方法は、次に前記空気吸入口手段の制御された部分的な制限と共に実行され、燃焼中に空気と燃料との混合気を完全に層状にするための実質的な化学量論比を確実にする、請求項１に記載の方法。
【請求項３】
前記排気手段が触媒コンバータに連結されて、前記排気ガスからNOXを除去することが可能となったときに実行される方法であって、前記方法は、制御された方法で前記空気吸入口手段の同時的部分的な制限によって、過剰な酸素を燃焼チャンバから除去することと共に実行され、エンジン内で燃焼する完璧な空気と燃料との量のための実質的な化学量論比を確実にする、請求項１に記載の方法。
【請求項４】
前記シリンダ（２）における前記トランスファ・オリフィス（７）からの出口の領域において、グロープラグのような第２の点火手段が提供される、請求項１〜３の何れかに記載の方法。
【請求項５】
前記空気吸入口手段（３）は、全開から部分的な閉鎖まで操作可能なスロットルバルブ（１０）を含む、請求項２〜４の何れか１項に記載の方法。
【請求項６】
周期的な量の燃料が前記排気ガスにおける受け入れ不可能な量の窒素酸化物を発生させると決定されると、前記空気吸入口の部分的な制限が実行される、請求項２または３、または請求項２もしくは３に従属する何れかの請求項に記載の方法。
【請求項７】
前記周期的な量の燃料が点火後に過度のピーク・シリンダ圧を発生させると決定されるときに実行される、請求項１に記載の方法。
【請求項８】
排気における廃熱量を増やす必要が生じたときに実行される、請求項１に記載の方法。
【請求項９】
前記トランスファ・オリフィス（７）の表面が、
例えば、セラミックのような、断熱材料で覆われた熱伝導率の低い材料から形成されるか、および／または、
例えば、プラチナのような触媒材料で覆われている、
これらの１つ以上から選択される、請求項１〜８の何れかに記載の方法。
【請求項１０】
前記燃料噴射器（８）は、１つのエンジンサイクルの間に、２つのパルスまたは一連の複数パルスで燃料を放出するように制御される、請求項１〜９の何れかに記載の方法。
【請求項１１】
請求項１〜１０の何れかに従ってその動作を可能にする、請求項１で定義されるコントローラを備える、請求項１で定義されるエンジン。
【請求項１２】
前記コントローラは、請求項１または請求項１に従属する何れかの請求項に記載の、あるいは請求項２または３、または請求項２もしくは３に従属する何れかの請求項で定義される、方法を選択または選択解除することができる、請求項１１に記載のエンジン。
【請求項１３】
１エンジンサイクルあたりに放出された燃料の量に基づいて、そして、エンジン動作を妨げること無く、前記選択が実行される、請求項１２に記載のエンジン。
【請求項１４】
４ストローク、または、２ストローク・サイクルで動作する、請求項１〜１３の何れかで定義されるエンジン。
【請求項１５】
請求項１１〜１４の何れか１項で定義されるエンジンに適合された自動車両。
【手続補正書】
【提出日】令和1年12月25日(2019.12.25)
【手続補正１】
【補正対象書類名】特許請求の範囲
【補正対象項目名】全文
【補正方法】変更
【補正の内容】
【特許請求の範囲】
【請求項１】
ｉ）各々が血管樹内に位置に関連付けられている少なくとも１つの流体圧力測定値であって、前記血管樹からその場で収集される前記少なくとも１つの流体圧力測定値と、ｉｉ）前記血管樹の医用画像データとを受信する入力ポートと、
前記医用画像データから導出される３Ｄ幾何モデルを生成するモデルビルダと、
前記少なくとも１つの流体圧力測定値を、その関連付けられている位置に基づいて、生成された前記３Ｄ幾何モデルに空間的に位置合わせする位置合わせユニットと、
空間的に位置合わせされた前記流体圧力測定値を境界条件として使用して、前記血管樹の前記３Ｄ幾何モデルに基づいて、前記血管樹に対する少なくとも１つの流量値及び／又は抵抗値を計算する液体力学的アナライザと、
を含む、流体力学用の推定システム。
【請求項２】
前記３Ｄ幾何モデルは、物体における狭窄を表す少なくとも１つの位置を含み、前記モデルビルダは、前記狭窄を除去又は少なくとも軽減するために前記３Ｄ幾何モデルを変更するように再構成され、前記液体力学的アナライザは、変更された前記３Ｄ幾何モデルに基づいて、前記少なくとも１つの流量値及び／又は抵抗値を再計算する、請求項１に記載の推定システム。
【請求項３】
前記医用画像データは、血管造影Ｘ線データ又はコンピュータ断層撮影データを含む、請求項１又は２に記載の推定システム。
【請求項４】
前記医用画像データを供給する撮像装置を更に含む、請求項１から３の何れか一項に記載の推定システム。
【請求項５】
前記少なくとも１つの流体圧力測定値を収集するために、前記物体内への導入のための測定デバイスを更に含む、請求項１から４の何れか一項に記載の推定システム。
【請求項６】
前記測定デバイスは、少なくとも１つの圧力センサを有するカテーテルである、請求項５に記載の推定システム。
【請求項７】
前記カテーテルのヘッドに、圧力測定値に関連付けられる位置を確定する位置トランスポンダを含むトラッカが設けられている、請求項６に記載の推定システム。
【請求項８】
各々が血管樹内に位置に関連付けられている少なくとも１つの流体圧力測定値であって、物体からその場で収集された前記少なくとも１つの流体圧力測定値を受信するステップと、
医用画像データを受信するステップと、
前記医用画像データから導出される３Ｄ幾何モデルを生成するステップと、
前記少なくとも１つの流体圧力測定値を、その関連付けられている位置に基づいて、生成された前記３Ｄ幾何モデルに位置合わせするステップと、
空間的に位置合わせされた前記流体圧力測定値を境界条件として使用して、前記血管樹の前記３Ｄ幾何モデルに基づいて、前記血管樹に対する少なくとも１つの流量値及び／又は抵抗値を計算するステップと、
を含む、推定方法。
【請求項９】
前記３Ｄ幾何モデルは、前記物体内の狭窄を表す少なくとも１つの位置を含み、前記方法は、前記狭窄を除去又は少なくとも軽減するために前記３Ｄ幾何モデルを変更するステップと、変更された前記３Ｄ幾何モデルに基づいて、前記少なくとも１つの流量値及び／又は抵抗値を再計算するステップと、を含む、請求項８に記載の方法。
【請求項１０】
前記流体圧力測定値は、前記血管樹における狭窄にわたり収集される、請求項８又は９に記載の方法。
【請求項１１】
前記流体圧力測定値は、少なくとも、前記血管樹の前記３Ｄ幾何モデルの少なくとも１つの入口及び少なくとも１つの出口の位置において収集される、請求項８から１０の何れか一項に記載の方法。
【請求項１２】
処理ユニットによって実行されると、請求項８から１１の何れか一項に記載の方法のステップを行うように適応され、請求項１から７の何れか一項に記載の推定システムを制御するためのコンピュータプログラム。
【請求項１３】
請求項１２に記載のコンピュータプログラムを格納した、コンピュータ可読媒体。